(57)【要約】  本発明は、使い捨て消毒剤ワイプ装置に関するもので、該使い捨て消毒剤ワイプ装置は、内部小室を有する防菌包装容器と、消毒剤材料を注入された消毒剤ワイプであって、前記消毒剤ワイプは、前記内部小室内に設置され、前記消毒剤ワイプは、巻状円筒形状を有する、消毒剤ワイプと、を備える。前記包装容器の一部分は、前記消毒剤ワイプの巻状円筒形状の１つの端部を露出させるために前記消毒剤ワイプから除去可能であり、同時に、前記巻状円筒形状の消毒剤ワイプの露出されていない端部は、前記包装容器を介してユーザによって把持される。【選択図】図４Ｂ
2020517407.tif 000002
【特許請求の範囲】
【請求項１】
使い捨て消毒剤ワイプ装置であって、
内部小室を有する防菌包装容器と、
消毒剤材料を注入された消毒剤ワイプであって、前記消毒剤ワイプは、前記内部小室内に設置され、前記消毒剤ワイプは、巻状円筒形状を有する、消毒剤ワイプと、を備える、装置。
【請求項２】
前記包装容器の一部分は、前記消毒剤ワイプの巻状円筒形状の１つの端部を露出させるために前記消毒剤ワイプから除去可能であり、同時に、前記巻状円筒形状の消毒剤ワイプの露出されていない端部は、前記包装容器を介してユーザによって把持される、請求項１に記載の装置。
【請求項３】
前記包装容器は、水平方向引裂き構造、及び前記包装容器に沿って軸方向に設置された鉛直方向引裂き構造のうちの少なくとも１つを更に備える、請求項１に記載の装置。
【請求項４】
前記鉛直方向引裂き構造は、前記包装容器を細長軸線に沿って開放するために、前記ユーザによって引張り可能な少なくとも１つのタブであり、前記包装容器の１つの半分は、接着縁に沿って別の半分から分離する、請求項３に記載の装置。
【請求項５】
前記包装容器は、前記包装容器の２つの反対側側面に沿った複数の穿孔を更に備え、前記装置は、前記複数の穿孔によってベルトに沿って誘導可能である、請求項１に記載の装置。
【請求項６】
使い捨て消毒剤ワイプを分注するためのシステムであって、
ディスペンサであって、
外側ハウジング、
前記外側ハウジングの内部の出口端部に設置された保持器、及び、
前記外側ハウジング上に設置された前進機構を備えるディスペンサと、
を備え、
前記外側ハウジング内部に連続して設置された複数の使い捨て消毒剤ワイプであって、それぞれのワイプは、
内部小室を有する防菌包装容器、及び、
消毒剤材料を注入された消毒剤ワイプであって、前記消毒剤ワイプは、前記内部小室内に設置され、前記消毒剤ワイプは、巻状円筒形状を有する、消毒剤ワイプを備える、複数の使い捨て消毒剤ワイプと、を備え、
前記前進機構は、前記複数の消毒剤ワイプを前記外側ハウジングの出口端部に向かって前進させるために、前記外側ハウジングの外部からユーザによって制御可能である、システム。
【請求項７】
前記前進機構は、実質的に前記外側ハウジングの全長に沿って位置する溝内を前記外側ハウジングの入口端部と前記外側ハウジングの出口端部との間で移動可能なスライド式パドルであり、前記パドルは、前記外側ハウジングの出口端部に向かってスライドすることによって前記複数の使い捨て消毒剤ワイプを前進させる、請求項６に記載のシステム。
【請求項８】
前記外側ハウジングの溝は、包装容器の実質的に１つの全長だけそれぞれ間隔が空いている複数のノッチを更に備え、前記スライド式パドルは、約１つの包装容器の刻み幅でノッチからノッチまで前進可能である、請求項７に記載のシステム。
【請求項９】
前記外側ハウジングの出口端部において前記外側ハウジングの内部に位置する包装除去具を更に備え、前記包装除去具は、前記包装容器を前記複数の巻状円筒形消毒剤ワイプから接触可能に分離しながら、前記巻状円筒形消毒剤ワイプが前記包装除去具を越えて前進することを可能にするようなサイズである、請求項７に記載のシステム。
【請求項１０】
前記保持器は、前記消毒剤ワイプのうちの１つのものの経路中に少なくとも部分的に延在する可撓性停止構造を備える、請求項６に記載のシステム。
【請求項１１】
前記外側ハウジングは、
前記外側ハウジングの出口端部の内部に設置されたブレードと、
前記ブレードに当接して前記外側ハウジングの外部に設置されたボタンであって、前記ボタンを押圧すると、前記ブレードは、前記包装容器の一部分を前記消毒剤ワイプから係合解除するように係合可能である、ボタンと、を更に備える、請求項６に記載のシステム。
【請求項１２】
前記外側ハウジング内部に位置し、実質的に前記外側ハウジングの全長に沿って走行する２つの通路を更に備え、前記２つの通路は、それぞれ溝を備え、前記複数の消毒剤ワイプの前記包装容器は、前記溝に沿って整列可能であり、移動可能である、請求項６に記載のシステム。
【請求項１３】
前記前進機構は、前記外側ハウジング内部に少なくとも部分的に位置して、実質的に前記外側ハウジングの全長に沿って走行するベルトであり、前記ベルトは、前記複数の消毒剤ワイプに接触し、それによる前記ベルトの運動は、前記複数の消毒剤ワイプを前記外側ハウジングの出口端部に向かって前進させる、請求項６に記載のシステム。
【請求項１４】
前記外側ハウジング内部に位置する内側ハウジングと、
前記外側ハウジングの出口端部の反対側の前記内側ハウジング上に位置するバイアス式ボタンであって、前記ボタンは、ユーザが前記ボタンを押圧することを可能にするために前記外側ハウジングから突出している、バイアス式ボタンと、
前記外側ハウジングの出口端部において前記内側ハウジング上に位置する複数のクラッチアームであって、前記複数のクラッチアームは、最初に閉じたクラッチ操作位置にあり、前記ボタンは、前記前進機構であり、前記ボタンを押圧すると、前記複数のクラッチアームが開いて、前記外側ハウジングの出口端部に向かって延長し、前記ボタンを解放すると、前記ボタン及び前記複数のクラッチアームは、それらの初期位置まで戻ることにより、前記複数の消毒剤ワイプを前進させる、複数のクラッチアームと、を更に備える、請求項６に記載のシステム。
【請求項１５】
消毒剤ワイプによって領域を殺菌する方法であって、
防菌包装容器内に消毒剤材料を注入された消毒剤ワイプを把持するステップであって、前記消毒剤ワイプは、巻状円筒形状を有する、ステップと、
前記消毒剤ワイプの前記巻状円筒形状の１つの端部を露出させるために前記包装容器の一部分を除去するステップと、
前記消毒剤ワイプの露出されていない端部を前記包装容器越しに把持するステップと、
前記領域が殺菌されるまで、前記消毒剤ワイプの露出された端部によって前記領域を拭くステップと、を含む方法。
【請求項１６】
前記包装容器の一部分を除去する前記ステップは、
前記包装容器上の２つのタブを把持するステップと、
前記包装容器を前記包装容器の細長軸線下方に接着縁に沿って分離するステップと、を含む、請求項１５に記載の方法。
【請求項１７】
前記消毒剤材料は、前記消毒剤ワイプのユーザに接触しない、請求項１５に記載の方法。
【請求項１８】
前記巻状円筒形消毒剤ワイプの軸方向偏向に対する抵抗は、平坦消毒剤ワイプの軸方向偏向に対する抵抗よりも大きい、請求項１５に記載の方法。
【請求項１９】
前記包装容器の除去される部分は、前記包装容器の半分未満である、請求項１５に記載の方法。
【請求項２０】
前記消毒剤ワイプは、ディスペンサ内部に位置し、消毒剤材料を注入された消毒剤ワイプを把持する前記ステップは、前記ディスペンサによって実行される、請求項１５に記載の方法。
【発明の詳細な説明】
【技術分野】
【０００１】
本出願は、２０１７年４月１９日に出願された、名称が「Ｄｉｓｐｏｓａｂｌｅ  Ａｎｔｉｓｅｐｔｉｃ  Ｗｉｐｅ  Ａｐｐａｒａｔｕｓ」である米国仮特許出願第６２／４８７，３２４号の利益を主張し、この出願の開示全体が、参照によって本明細書に組み込まれる。
【０００２】
本開示は、概して、消毒剤ワイプに関し、より具体的には、使い捨て消毒剤ワイプ装置に関する。
【背景技術】
【０００３】
従来の消毒剤ワイプは、針による注射の前に、患者の身体上の注射領域を清浄化するために病院内で使用される。それらは、また、ＩＶ流体をＩＶポートに接続する前に、患者の腕の周辺ＩＶポート又は患者に近接した別の装置を清浄化するために使用される。これらの消毒剤ワイプは、一般に、アルコール、過酸化水素、ヨウ素、ポリヘキサニド、その他等の消毒剤材料を注入されたファブリック材料から作成され、当該ファブリック材料は、折り畳まれて、箔裏張りパケット内にそれぞれ包装される。箔裏張りパケットは、その上部縁で開放可能であることにより、ユーザは、包装を引き裂いて開けて、消毒剤注入されたファブリック材料の露出された縁を把持することによってそこからファブリック材料を除去してもよい。
【０００４】
図１〜図３は、先行技術に従う消毒剤ワイプ１０についての図である。具体的には、図１は、包装１４内部のファブリック材料１２を表す従来の消毒剤ワイプ１０を示し、図２は、包装１４が開放されて、消毒剤注入ファブリック材料１２に接触することが可能になった状態の消毒剤ワイプ１０を示す。図３は、包装１４から除去した後の消毒剤注入ファブリック材料１２を示す。一般に、消毒剤注入ファブリック材料１２は、図３に示すように、単一の材料シートであり、当該シートは、包装内部に置かれる前に層に折り畳まれ、次いで、包装１４から除去した後に展開される。消毒剤ワイプが使用されるとき、ファブリック材料は、包装から除去され、選択的に展開され、次いで、患者の注射領域又は患者内部のＩＶポート付近を擦らされることにより、ファブリック材料内に注入された消毒剤材料によって選択領域を清浄化する。消毒剤注入ファブリック材料１２と患者上の選択区域との間の接触は、一般に、注射中の又はＩＶポートによる感染又は敗血症の可能性を低減することに好結果を得る。
【０００５】
しかし、従来の消毒剤ワイプ１０の使用に、欠点がないわけではない。患者の皮膚に消毒剤ワイプを稀に使用しても、消毒剤材料が患者の皮膚に炎症をめったに生じさせないけれども、消毒剤材料は、１日に多数回消毒剤ワイプを使用する看護師、医師、又は別の医療専門家の指にかなりの炎症を生じさせることがある。実際、医療専門家が、消毒剤ワイプを毎日３０〜５０回を使用することは稀ではない。この反復使用によって、ユーザの指及び親指は、消毒剤材料に絶えず反復して露出され、これが、指及び親指の痛み、ひび割れた乾いた皮膚の出血をもたらし、そして遂には、皮膚の指紋線の減少をもたらす。ユーザの指への影響は痛みを伴い、そして、ユーザの指に負の美的問題をもたらす。一部のユーザは、消毒剤ワイプを使用する必要があるとき、使い捨て医療手袋（ラテックス又はその他）を着用することによって、この問題を解決しようとしてきたけれども、毎日３０〜５０個の手袋を使用することは無駄が多く、非効率で、費用がかかる。標準の使い捨てラテックス手袋は、それぞれ、医療施設に約０．０６ドルを費やさせる。１年間について、１日に５０個の手袋を使用する医療専門家は、医療施設に約７５０ドルを費やさせる。また、そのように多くの生物分解性でない手袋を使用することからの有意な負の環境結果が存在する。
【発明の概要】
【発明が解決しようとする課題】
【０００６】
このように、上記の欠陥及び不完全性を対象とする、これまで対象にされなかったニーズが、産業内に存在する。
【課題を解決するための手段】
【０００７】
本開示の実施形態は、使い捨て消毒剤ワイプ装置のためのシステム及び方法を提供する。簡単に説明すると、構成において、システムの一実施形態は、とりわけ次のように実装されてもよい。使い捨て消毒剤ワイプ装置は、内部小室を有する防菌包装容器を含む。消毒剤ワイプは、消毒剤材料を注入されて、内部小室内に設置される。消毒剤ワイプは、巻状にされた円筒形状を有する。包装容器の一部分は、消毒剤ワイプの巻状円筒形状の１つの端部を露出させるように消毒剤ワイプから除去可能であり、同時に、消毒剤ワイプの巻状円筒形状の露出されていない端部は、包装容器を介してユーザによって把持可能である。
【０００８】
本開示は、また、使い捨て消毒剤ワイプを分注するためのシステムを提供するものと見なされてもよい。簡単に説明すると、構成において、システムの一実施形態は、とりわけ、次のように実装されてもよい。システムは、外側ハウジングと、外側ハウジングの内部の出口端部に設置された保持器と、外側ハウジング上に設置された前進機構と、を有するディスペンサを含む。複数の使い捨て消毒剤ワイプが、外側ハウジング内部に連続して設置される。それぞれのワイプは、内部小室を有する防菌包装容器を含む。消毒剤ワイプは、消毒剤材料を注入されている。消毒剤ワイプは、内部小室内に設置され、巻状円筒形状を有する。前進機構は、複数の消毒剤ワイプを外側ハウジングの出口端部に向かって前進させるように、外側ハウジングの外面からユーザによって制御可能である。
【０００９】
本開示は、また、消毒剤ワイプによって領域を殺菌する方法を提供すると考えられてもよい。この点に関して、とりわけ、１つの方法が、以下のステップ、防菌包装容器内の消毒剤材料を注入された消毒剤ワイプを把持するステップであって、消毒剤ワイプは、巻状円筒形状を有する、ステップと、消毒剤ワイプの巻状円筒形状の１つの端部を露出させるために包装容器の一部分を除去するステップと、包装容器越しに消毒剤ワイプの露出されていない端部を把持するステップと、消毒剤ワイプの露出された端部によって、領域が殺菌されるまでその領域を拭くステップと、を含むと概括的に要約されてもよい。
【００１０】
本開示は、また、使い捨て消毒剤ワイプ装置を作成する方法を提供すると考えられてもよい。この点に関して、とりわけ、１つの方法が、以下のステップ、消毒剤ワイプの平坦シートを少なくとも一度折り畳むステップと、折り畳まれたシートを円筒形に巻くステップと、消毒剤材料を巻状シートに注入するステップと、内部小室を有する防菌包装容器内部に巻状シートを置くステップであって、包装容器の一部分が、巻状シートの１つの端部を露出させるために消毒剤ワイプから除去可能であり、同時に、巻状シートの露出されない端部が包装容器を介してユーザによって把持可能である、ステップと、を含むと概括的に要約されてもよい。
【００１１】
本開示の別のシステム、方法、特徴及び長所が、以下の図面及び詳細な説明を考察すると、当業者にとって明らかであり、又は明らかになるであろう。全てのかかる追加的なシステム、方法、特徴及び長所が本説明内に含まれ、本開示の範囲内にあり、添付クレームによって保護されることが、意図されている。
【００１２】
本開示の多くの態様が、以下の図面を参照してよりよく理解されてもよい。図面内の構成要素は、必ずしも共通の尺度を有するわけではなく、その代わりに、本開示の原理を明確に示す際に強調がなされる。更に、図面において、いくつかの図にわたって、同様の参照番号が対応する部分を示す。
【図面の簡単な説明】
【００１３】
【図１】先行技術に従う消毒剤ワイプ１０についての説明図である。
【図２】先行技術に従う消毒剤ワイプ１０についての説明図である。
【図３】先行技術に従う消毒剤ワイプ１０についての説明図である。
【図４】図４Ａ及び図４Ｂは、本開示の第１の例示的実施形態に従う、使い捨て式消毒剤ワイプ装置についての側面図である。
【図５】本開示の第１の例示的実施形態に従う、図４Ａ〜図４Ｂの使い捨て消毒剤ワイプ装置についての上面断面図である。
【図６】図６Ａ及び図６Ｂは、本開示の第１の例示的実施形態に従う、ユーザの指によって把持されている使い捨て消毒剤ワイプ装置についての側面図である。
【図７】図７Ａ及び図７Ｂは、本開示の第１の例示的実施形態に従う、様々な包装容器を有する使い捨て消毒剤ワイプ装置についての側面図である。
【図８】本開示の第１の例示的実施形態に従う、使い捨て消毒剤ワイプ装置を折り畳むことについての概略フローチャートである。
【図９】図９Ａ及び図９Ｂは、本開示の第２の例示的実施形態に従う、使い捨て消毒剤ワイプ装置の等大側面図である。
【図１０】図１０Ａ及び図１０Ｂは、本開示の第２の例示的実施形態に従う、ユーザの指によって把持されている使い捨て消毒剤ワイプ装置の側面図である。
【図１１】図１１Ａ乃至図１１Ｅは、本開示の第３の例示的実施形態に従う、使い捨て消毒剤ワイプを分注するためのシステムの図である。
【図１２】図１２Ａ及び図１２Ｂは、本開示の第３の例示的実施形態に従う、使い捨て消毒剤ワイプを分注するためのシステムの図である。
【図１３】図１３Ａ及び図１３Ｂは、本開示の第３の例示的実施形態に従う、使い捨て消毒剤ワイプを分注するためのシステムの図である。
【図１４】図１４Ａ及び図１４Ｂは、本開示の第３の例示的実施形態に従う、使い捨て消毒剤ワイプを分注するためのシステムの図である。
【図１５】図１５Ａ及び図１５Ｂは、本開示の第３の例示的実施形態に従う、使い捨て消毒剤ワイプを分注するためのシステムの図である。
【図１６】図１６Ａ乃至図１６Ｃは、本開示の第４の例示的実施形態に従う、使い捨て消毒剤ワイプを分注するための装置及びシステムの図である。
【図１７】消毒剤ワイプによって領域を殺菌する方法を示すフローチャートである。
【図１８】使い捨て消毒剤ワイプ装置を作成する方法を示すフローチャートである。
【発明を実施するための形態】
【００１４】
図４Ａ〜図４Ｂは、本開示の第１の例示的実施形態に従う、使い捨て消毒剤ワイプ装置１１０の側面図である。図５は、本開示の第１の例示的な実施形態に従う、図４Ａ〜図４Ｂの使い捨て消毒剤ワイプ装置の上面断面図である。図４Ａ〜図５を参照すると、使い捨て消毒剤ワイプ装置１１０は、単に「装置１１０」と呼ばれることがあって、内部小室１２２を有する防菌包装容器１２０を含む。消毒剤ワイプ１３０は、消毒剤材料を注入されている。消毒剤ワイプ１３０は、内部小室１２２内に設置されている。消毒剤ワイプ１３０は、巻状にされた円筒形状１３２を有する。包装容器１２０の部分１２０Ａは、巻状円筒形状１３２の消毒剤ワイプ１３０の１つの端部１３４を露出させるために、消毒剤ワイプ１３０から除去可能であり、同時に、巻状円筒形状１３２の消毒剤ワイプ１３０の露出されない端部１３６が包装容器１２０を介してユーザによって把持される。
【００１５】
包装材料１２０は、箔ベース材料又は類似材料を含んでもよく、当該材料は、防菌性、耐水性又は防液性であり、そして、別途、包装１２０の内部小室１２２内にある間の消毒剤ワイプ１３０の不慮の汚染を防止できる。したがって、包装は、既知の方法によってそれの端部及び縁に沿って密封されることにより、内部小室１２２を殺菌状態に維持してもよい。消毒剤ワイプ１３０は、消毒剤材料を注入されるか又は飽和されることができる使い捨てファブリック材料又は類似材料から形成されてもよい。消毒剤材料は、アルコール、過酸化水素、ヨウ素、ポリヘキサニド等を含む任意の既知の消毒剤物質を含んでもよい。消毒剤ワイプ１３０は、ファブリック材料の平坦シートを実質的に密着した円筒に折り畳むことと巻くことの組合せによって形成されてもよい巻状円筒形状を有し、それにより、ファブリック材料の軸方向剛性が、平坦シート形式のファブリック材料の剛性を実質的に超過する。言い換えると、巻状円筒形状１３２は、消毒剤ワイプ１３０の１つの端部に横方向の力が作用したときの軸方向偏向抵抗の大幅な向上を可能にする。図５に示すように、巻状円筒形状１３２は、ファブリック材料の多数の重複層を有する密着した螺旋を含んでもよく、一方、包装１２０は、巻状円筒形状の消毒剤ワイプ１３０を受け取り得る内部小室１２２を有するようなサイズにされてもよい。
【００１６】
装置１１０の使用前において、消毒剤ワイプ１３０は、図４Ａに示すように、包装１２０の内部小室１２２内に完全に設置されてもよい。装置１１０が必要とされるとき、図４Ｂに示すように、ユーザは、包装１２０の一部分１２０Ａを引裂いて、巻状円筒形状１３２の消毒剤ワイプ１３０の１つの端部１３４を露出させ、一方、消毒剤ワイプ１３０の反対側端部が包装１２０内部に残ったままであってもよい。包装１２０の裂かれた部分１２０Ａは、廃棄されてもよく、消毒剤ワイプ１３０は、使用されてもよい。消毒剤ワイプ１３０の使用法は、変化してもよいが、通常は、２つの異なるタイプの使用法を含んでもよい。第１の使用法は、消毒剤ワイプ１３０が包装１２０から完全に除去されて、巻状円筒形状１３２で、あるいはそれが巻きを解かれた及び／又は折りが展開された後に、のいずれかにおいて患者に適用される。消毒剤ワイプ１３０のこの使用法は、従来の消毒剤ワイプが業界内で使用される態様と類似していてもよい。
【００１７】
装置１１０の第２の使用法は、消毒剤ワイプ１３０が依然として包装１２０内部に部分的に収容されたままで、ユーザが包装１２０を介して消毒剤ワイプ１３０を把持しながら、当該消毒剤ワイプが使用されることを含んでもよい。図６Ａ〜図６Ｂは、本開示の第１の例示的実施形態に従って、ユーザの指１０２によって把持されている装置１１０についての側面図である。示すように、ユーザは、巻状円筒形消毒剤ワイプ１３０を、包装１２０内部に残っている第２部分１３６において把持してもよく、それにより、ユーザは、皮膚を消毒剤ワイプ１３０と直接接触させる必要がなく、むしろ、包装１２０がユーザの指先１０２と消毒剤ワイプ１３０との間の物理インタフェースとして作用することを可能にしてもよい。この位置において、図６Ｂに示すように、ユーザは、ユーザが消毒剤ワイプ１３０内部に注入された消毒剤材料と接触する必要を全く伴わずに、消毒剤ワイプ１３０の露出した端部１３４と、患者１０４の注射領域１０６、患者のＩＶポート、又は清浄化されるべき任意の別の望ましい位置との間で接触させてもよい。消毒剤ワイプ１３０が巻状円筒形状１３２を有するので、それは、過度に屈曲することなく患者１０４上の場所を清浄化するのに十分な力によって、消毒剤ワイプ１３０の半径方向に沿って（例えば、１本のチョークを用いて書くことの動作に類似した動作を使用して）又は円運動で、患者の皮膚に当接して擦られるのに十分な耐久性及び剛性を有してもよく、それにより、消毒剤ワイプ１３０は、消毒剤材料を軟質ブラシのように患者に適用してもよい。消毒剤材料の穏やかな適用を可能するような消毒剤ワイプ１３０の能力は、露出した端部１３４において患者に接触することが、使い捨て手袋を必要とすることなく、そして、医療専門家が消毒剤材料に接触することなく、消毒剤ワイプ１３０を使用することを可能にするときでも、依然として軸方向に偏向することを防止する。
【００１８】
装置１１０は、診療所、病院、外科センター又は任意の別の医療環境を含む、医療現場のいずれかの環境内で用いられて、患者上の注射領域を清浄化、又は周辺ＩＶポート等の医療設備を清浄化してもよい。従来の消毒剤ワイプは、一般に医療専門家によって指で包装から除去されて把持されるが、それと異なり、装置１１０は、ユーザがワイプ上の消毒剤材料に接触する必要がなく、そしてユーザが医療手袋を着用する必要がなく、消毒剤ワイプの適正使用を可能にしてもよい。この能力は、消毒剤ワイプ１３０を部分的に収容し、そしてワイプ１３０内部の消毒剤材料とユーザの指との間のバリヤとして作用する包装材料の使用を介して少なくとも部分的に達成される。巻状円筒形状１３２の使用は、ユーザが包装１２０を把持するだけでありながら、装置を患者の皮膚に有効に適用することを可能にすることによって、装置１１０の使用を更に向上させてもよい。更に、消毒剤ワイプ１３０が包装１２０から完全に除去された後に、ユーザがその使用を望むときにこれを実行できることは、図１〜図３に関連して説明したような従来の消毒剤ワイプを使用することよりも難しくはない。したがって、装置１１０は、従来の消毒剤ワイプの欠陥について改善して、消毒剤ワイプ１３０のほぼ従来の使用法を可能にする。
【００１９】
装置１１０の包装１２０の一部分だけを除去するユーザの能力を助けるために、包装１２０は、包装１２０内に形成された引裂き構造１２４を含んでもよい。図７Ａ〜図７Ｂは、本開示の第１の例示的実施形態に従う、様々な包装容器１２０を有する使い捨て消毒剤ワイプ装置１１０についての側面図である。図４Ａ〜図４Ｂ及び図７Ａ〜図７Ｂに示すように、引裂き構造１２４は、包装材料１２０内部にスリット、切取り及び／又は部分的穿孔を含むことにより、ユーザは、包装１２０の除去部分１２０Ａを容易に引き離してもよい。図７Ａでは、引裂き構造１２４は、包装１２０の１つの側面に設置された切取りであり、一方、図４Ａでは、２つの切取りが含まれる。図７Ｂでは、引裂き構造１２４は、包装１２０内の部分的穿孔である。例えば、穿孔が、外側包装材料内に含まれるけれども、包装１２０の箔裏張りを通っていない場合の部分的穿孔は、内部小室の殺菌完全性を保持しながら包装１２０を引き裂くことを支援するために用いられてもよい。引裂き構造１２４は、それが無くとも装置１１０の包装１２０を引き裂くこと又は破ることができるので、全ての設計において必要であるわけでない。引裂き構造１２４は、また、ユーザが包装１２０から除去される部分１２０Ａを分離すべき位置についての標示又は印を含んでもよい。一例では、引裂き構造１２４は、包装容器１２０に沿って軸方向に設置されてもよい。例えば、図７Ａ〜図７Ｂは、包装容器１２０に沿って水平に設置された引裂き構造１２４を示す。鉛直方向の引裂き構造が、同様に含まれてもよい。本明細書に記載した使用法のために包装１２０を適切に開放することを支援するためのなんらかの別の種類の引裂き構造又は別の構造が、また、用いられてもよく、それらの全てが本開示の範囲内にあると考えられる。
【００２０】
図８は、本開示の第１の例示的実施形態に従う、図４Ａ〜図７Ｂの使い捨て消毒剤ワイプ装置１１０を折り畳むことについての概略フローチャート２００である。特に、図８は、消毒剤ワイプ１３０が巻状円筒形状１３２に形成され得る方法の１つの例を示す。ブロック２０２において、消毒剤ワイプ１３０は、ファブリック材料又は別の材料、例えば、紙又は織物ベース材料の平坦シートであってもよい。消毒剤ワイプ１３０は、ブロック２０４に示すように、一度半分に折られてもよく、次いで、ブロック２０６に示すように、更に半分に折られてもよい。ブロック２０６に見られるように、消毒剤ワイプ１３０は、互いに近接して設置された４つの材料の層を有してもよい。この折り畳まれる設計は、次いで、ブロック２０８に示すように、円筒形設計へとそれ自体の上に巻かれてもよい。層をなした消毒剤ワイプ１３０を円筒形設計へと巻くことが、結果として生じた構造内に軸方向剛性を形成してもよく、それにより、それは、図６Ａ〜６Ｂに関連して論じられたように用いられてもよい。
【００２１】
図９Ａ〜図１０Ｂは、本開示の第２の例示的実施形態に従う、使い捨て消毒剤ワイプ装置９１０の等大側面図である。
【００２２】
図９Ａは、巻状円筒形状の消毒剤ワイプ９３０を収容する防菌包装容器９２０を含む使い捨て消毒剤ワイプ装置９１０を示す。装置９１０は、装置９１０の鉛直軸線に沿って細長い。包装容器９２０の上端部において、２つのタブ９２４が、装置９１０の中心から離れる方に延在してもよい。２つのタブ９２４は、接着縁９２６に沿って接着接続されていない包装容器９２０の部分である。接着縁９２６は、巻状消毒剤ワイプ９３０を包囲していてもよい。一例では、接着縁９２６は、装置９１０の上面、底面及び側面に沿って延在する。グルー、エポキシ等を含む任意の好適な接着剤が、包装容器９２０を消毒剤ワイプ９３０の周りに接着するために用いられてもよい。接着剤は、ユーザがわずかな労力で包装容器９２０を引き離すことができるほど十分に弱くてもよいけれども、巻状消毒剤ワイプを実質的に気密で無菌の環境内に保持できるほど十分に強くてもよい。タブ９２４が、図９Ｂに示すように、包装容器９２０を引き離すために用いられてもよい。ユーザは、タブ９２４を把持して、装置９１０の細長軸線に沿って鉛直方向に引っ張ってもよい。このことは、包装容器９２０の１つの半分９２８を別の半分９２８から包装容器９２０の接着縁９２６に沿って分離してもよい。半分同士９２８が分割されて、折り返されると、消毒剤ワイプ９３０の１つの端部が、露出された端部９３４になってもよく、一方、別のものが、露出されていない端部９３６のままである。露出されていない端部９３６は、包装容器９２０の内部小室９２２内に収容されている。
【００２３】
図１０Ａ〜図１０Ｂは、本開示の第２の例示的実施形態に従う、ユーザの指１０２によって把持されている使い捨て消毒剤ワイプ装置９１０の側面図である。上述のように包装容器９２０を開いた後に、ユーザは、包装容器９２０の半分同士９２８を折り返して、２本以上の指１０２によって装置９１０を把持してもよい。ユーザは、次いで、患者１０４の注射領域１０６等の領域を拭くことによって、消毒剤ワイプ９３０を適用してもよい。消毒剤ワイプ９３０の露出された端部９３４の部分９３１が、使用中にわずかに偏向してもよいけれども、部分９３１は、それの巻状円筒形状のために軸方向偏向抵抗の増加を呈してもよい。この軸方向偏向抵抗の増加が、適用中の消毒剤ワイプ９３０の有用性を向上させ、その理由は、ワイプ９３０が、素早く、そして軸方向偏向を補償するための不必要な追加の力を伴わずに適用されることを可能にするからである。
【００２４】
図１１Ａ〜図１５Ｂは、本開示の第３の例示的実施形態に従う、使い捨て消毒剤ワイプを分注するためのシステムについての図である。
【００２５】
図１１Ａ〜図１１Ｅでは、システム１１００は、外側ハウジング９４０を有するディスペンサを含む。外側ハウジング９４０は、消毒剤ワイプ１１０を保持して分注するための任意の好適な形状及びサイズであってもよい。一例では、外側ハウジングは、細長鉛直軸線を有する中空管又は中空半長方形ペンとして形成されてもよい。外側ハウジング９４０のペン形状は、消毒剤ワイプ１１０が容易に順々に分注されることを可能にしてもよい。外側ハウジング９４０は、任意の好適な数の消毒剤ワイプ１１０を保持するようなサイズであってもよい。外側ハウジング９４０は、プラスチック、木、金属、硬質ゴム、セラミック等の任意の好適な剛性材料から作成されてもよい。外側ハウジング９４０は、使用中、システム１１０に対する安定性を提供できるほど十分に剛性が高くあるべきであり、そして、それは、ユーザのポケット内に置かれることに耐えることができるほど十分に耐久性があってもよい。外側ハウジング９４０は、細長軸線の一方又は両方の側に開放端を有してもよい。開放端は、消毒剤ワイプ１１０が外側ハウジング９４０の内外に移動するのを可能にしてもよい。
【００２６】
ディスペンサは、外側ハウジング９４０上に設置された前進機構９４４を含む。前進機構９４４は、複数の消毒剤ワイプ１１０を外側ハウジング９４０の出口端部に向かって前進させるように、外側ハウジング９４０の外部からユーザによって制御可能である。図１１Ａ〜図１１Ｃに示す前進機構は、外側ハウジング９４０の外側に沿って鉛直方向に設置されたスライド式パドル９４４である。外側ハウジング９４０の内部に水平に設置されたアーム９４５が、スライド式パドル９４４に取り付けられている。スライド式パドル９４４は、外側ハウジング９４０の実質的に全長に沿って位置する溝９４１内で外側ハウジング９４０に沿って移動可能である。溝９４１は、スライド式パドル９４４が、外側ハウジングの上端部として図１１Ａに示された、外側ハウジング９４０の入口端部と、消毒剤ワイプ１１０が外側ハウジング９４０を出る端部として図１１Ｂ〜１１Ｃに示された、外側ハウジング９４０の出口端部との間で移動することを可能にする。スライド式パドル９４４が外側ハウジング９４０の入口端部から出口端部まで動かされるときに、アーム９４５は、外側ハウジング９４０内部に設置された複数の使い捨て消毒剤ワイプ１１０を押す。消毒剤ワイプ１１０は、順々に連続して設置されている。そのため、スライド式パドル９４４を外側ハウジング９４０に沿って前進させることが、外側ハウジング９４０を通してそれぞれの消毒剤ワイプ１１０を前進させることになる。
【００２７】
消毒剤ワイプ１１０が、図１１Ｂ〜図１１Ｄに示すように、外側ハウジングを通して少なくとも部分的に前進させられるとき、消毒剤ワイプ１１０の一部分が、使用のために露出される。図１１Ｃは、包装容器１２０の一部分１２０Ａが、包装容器１２０から除去されることにより、消毒剤ワイプ１１０の端部１３４が露出されることを示す。露出されない端部１３６は、外側ハウジング９４０内部に全体的又は部分的に残ってもよい。使用後に、スライド式パドル９４４は、外側ハウジング９４０を通して使用済み消毒剤ワイプ１１０を完全に前進させ、そして、次の消毒剤ワイプ１１０を前進させて使用のために部分的に露出させる。図１１Ａ〜図１１Ｃは、前進プロセスを示す。図１１Ａでは、外側ハウジングが、消毒剤ワイプ１１０で充填される。図１１Ｂでは、スライド式パドル９４４が用いられて、使用のための消毒剤ワイプ１１０を前進させる。図１１Ｃでは、最後の残っている消毒剤ワイプ１１０が、使用のために前進させられて露出される。
【００２８】
図１１Ｃに示す一例において、溝９４１は、実質的に１つの包装容器１２０の全長だけそれぞれ間隔を空けられたいくつかのノッチ１１０２を含む。スライド式パドル９４４は、それが外側ハウジング９４０に沿って前進するときに、それぞれのノッチ１１０２を捕えて、スライド式パドル９４４の動きを軽く停止させるような形状にされてもよい。このことは、ユーザがスライド式パドル９４４を、必要とされる前進量について考える必要を伴わずに、約１つの包装容器１２０の刻み幅でノッチからノッチまで前進させることを可能にしてもよい。このことは、システム１１００が殺菌部位から殺菌部位まで迅速に使用されることを可能にしてもよい。
【００２９】
外側ハウジング９４０は、外側ハウジング９４０の、出口端部の反対側の入口端部に除去式キャップ９４２を含んでもよい。除去式キャップ９４２は、ダスト及び別のデブリが入口端部を通って外側ハウジング９４０に入ることを防止してもよい。一例では、交換されるべき消毒剤ワイプ１１０の供給が必要であるとき、キャップ９４２が除去されて、スライド式パドル９４４が除去されることを可能にする。消毒剤ワイプ１１０が外側ハウジング９４０中に装填されて、スライド式パドル９４４及びキャップ９４２が交換されてもよい。
【００３０】
図１１Ｄは、外側ハウジング９４０上に位置する例示的な包装除去具９４６を示す。包装除去具９４６は、ブレード、刃又は別の鋭利なものを含んでもよい。包装除去具９４６は、外側ハウジング９４０の出口端部で外側ハウジング９４０の内側に設置されてもよく、そして、使用のための消毒剤ワイプ１１０が外側ハウジング９４０を通して部分的に前進させられるとき、包装容器９２０の部分１２０Ａを除去することに役に立ってもよい。消毒剤ワイプ１１０の望ましい部分が外側ハウジング９４０を通して前進させられたときに、ユーザは、外側ハウジング９４０上に位置するボタン９４８を押圧してもよい。ボタン９４８は、押圧されると、包装除去具９４６を消毒剤ワイプ１１０に向かって内側へ押すバイアス要素であってもよい。包装除去具は、その中に収容された巻状消毒剤ワイプ１３０に触れずに、包装容器１２０を切るか又は引き裂いてもよい。このことは、包装容器１２０の部分１２０Ａが、ユーザが手で引き裂くか又は別の方法でそれを除去する必要を伴わずに、消毒剤ワイプ１１０から除去されるようにしてもよい。一例では、ボタン９４８及び包装除去具９４６は、円形であってもよく、そして外側ハウジング９４０の外周全体を取り巻いてもよい。
【００３１】
図１１Ｅは、外側ハウジング９４０の内部の出口端部に設置された保持器９５０を有するディスペンサを示す。保持器９５０は、消毒剤ワイプ１１０が外側ハウジング９４０から抜け落ちることを防止する任意の構造であってもよい。一例では、保持器９５０は、消毒剤ワイプ１１０のうちの１つのものの経路中に少なくとも部分的に延在する可撓性停止構造であってもよい。可撓性停止構造は、ゴム、プラスチック、ポリマ等を含む任意の好適な可撓性材料でできていてもよい。図１１Ｅに示す例では、可撓性停止構造は、外側ハウジング９４０の出口端部の下端において、外側ハウジング９４０の内面に取り付けられたゴムリングである。リングは、外側ハウジング９４０の上方及びその中へわずかに湾曲している。リングは、外側ハウジング９４０の中間に開放空間を有することにより、消毒剤ワイプ１１０が通過するのを可能にする。最初、開放空間が消毒剤ワイプ１１０の直径よりも小さいことにより、消毒剤ワイプ１１０は、保持器９５０を通り越して外側ハウジング９４０を出ることにならない。しかし、ユーザが力を前進機構９４４に適用すると、リングは、下向きに屈曲して、消毒剤ワイプ１１０が通過するのに十分な空間を与える。消毒剤ワイプ１１０が使用された後に、ユーザは、使用済みワイプをディスペンサから外に前進させて、残りの消毒剤ワイプ１１０を前進させることを続けてもよい。可撓性停止構造９５０は、それの最初の位置まで戻って、次の消毒剤ワイプ１１０が外側ハウジングから出ることを防止してもよい。一例では、可撓性停止構造９５０は、最初に下向きに屈曲して消毒剤ワイプ１１０が通過することを防止し、次いで、圧力がユーザによって適用されたときに拡張してもよい。
【００３２】
別の一例では、可撓性停止構造９５０は、外側ハウジング９４０の出口端部に取り付けられてもよいキャップ９５２内に収容されてもよい。キャップ９５２は、外側ハウジング９４０に類似したサイズの直径及び内孔を有してもよい。キャップ９５２は、ねじ又は圧入によって取り付けられてもよい。一例では、システム１１００の消毒剤ワイプ１１０が空になった後に、ユーザは、キャップ９５２を除去して、消毒剤ワイプ１１０で外側ハウジング９４０を補充してもよい。キャップ９５２は、交換されてもよく、システム１１００は、前の通りに再利用されてもよい。
【００３３】
図１２Ａ〜図１２Ｂは、使い捨て消毒剤ワイプ１１０を分注するためのシステム１２００の別の一例を示す。システム１２００は、外側ハウジング９４０内部に位置し、実質的に外側ハウジング９４０の全長に沿って走行する少なくとも２つの通路９７２を含む。２つの通路９７２は、それぞれ溝９７４を有する。複数の消毒剤ワイプ１１０の包装容器１２０は、溝９７４に沿って整列可能及び移動可能である。通路９７２は、外側ハウジング９４０内部で実質的に互いに反対側に位置してもよい。それぞれの通路９７２下の溝９７４は、包装容器１２０の縁を受け取るようなサイズであってもよい。包装容器１２０は、消毒剤ワイプ１１０が外側ハウジング９４０中に装填されるとき、通路９７２の溝９７４内に置かれることにより、消毒剤ワイプを整列させるのを支援してもよい。図１２Ａは、外側ハウジングの細長軸線に沿ったシステム１２００の断面図である。消毒剤ワイプ１１０は、鉛直方向に装填されて、通路９７２に沿って下方にスライドする。図１２Ｂは、包装容器１２０の縁が通路９７２の溝９７４中に嵌合している場合を示すシステム１２００の俯瞰図である。
【００３４】
図１３Ａ〜図１３Ｂは、使い捨て消毒剤ワイプ１１０を分注するためのシステム１３００の別の一例を示す。図１３Ａでは、前進機構は、ベルト９８２が外側ハウジング９４０内部に少なくとも部分的に位置し、実質的に外側ハウジング９４０の全長に沿って走行するように示されている。ベルト９８２は、外側ハウジング９４０内側の複数の消毒剤ワイプ１１０に接触し、ベルト９８２の運動は、消毒剤ワイプ１１０に外側ハウジング９４０の出口端部に向かって前進させる。ベルト９８２は、ベルトを作成するための任意の好適な耐久材料から作成されてもよい。ベルト９８２は、外側ハウジング９４０の内部に接続された内蔵ベアリング９８６の周りを走行させられてもよい。ベルト９８２は、実質的に外側ハウジング９４０の全長上を走行するループを形成する。ループは、接触を介して消毒剤ワイプ１１０を強制的に動かすことによって、消毒剤ワイプ１１０のための前進機構として作用する。外側ハウジング９４０の外側で、ベルト９８２の部分９８２Ａが露出されて、ユーザによって接触可能であってもよい。図１３Ｂは、外側ハウジング９４０上の部分９８２Ａのクローズアップを示す。ユーザは、自身の指を用いて部分９８２Ａを上向き方向９８４に前進させてもよい。上向き方向９８４は、外側ハウジング９４０の内側では下向き方向になり、消毒剤ワイプ１１０を外側ハウジング９４０の出口端部に向かって動かす。
【００３５】
図１４Ａ〜図１４Ｂは、使い捨て消毒剤ワイプ１１０を分注するためのシステム１４００の別の一例を示す。図１４Ａでは、システム１４００は、外側ハウジング１４１０と、内側ハウジング１４２０と、を有する。内側ハウジング１４２０は、外側ハウジング１４１０内部に位置する。バイアス式ボタン１４２２が、外側ハウジング１４１０の出口端部の反対側の内側ハウジング１４２０上に位置する。ボタン１４２２は、外側ハウジング１４１０から突出していることにより、ユーザがボタン１４２２を押圧することを可能にする。ボタン１４２２及び内側ハウジング１４２０は、プラスチック、金属、木、ゴム、セラミック等を含む、外側ハウジング１４１０に類似した材料から作成されてもよい。
【００３６】
内側ハウジング１４２０は、第１スリーブ１４２４を含んでもよく、当該第１スリーブの周りにばね１４２８又は別の可撓性要素が置かれる。第１スリーブ１４２４は、ばね１４２８がバイアスをかけるための縁を提供してもよい。外側ハウジング１４１０は、外側ハウジング１４１０の出口端部近傍に棚１４１２を含んでもよい。第２スリーブ１４２６は、内側ハウジング１４２０の周りに設置されて、棚１４１２に当接して静止してもよい。ボタン１４２２が押圧されると、内側ハウジング１４２０は、外側ハウジング１４１０を通して出口端部に向かって動かされる。第１スリーブ１４２４と第２スリーブ１４２６とは、内側ハウジング１４２０が外側ハウジング１４１０の棚１４１２に対して動くにつれて、ばね１４２８に逆らって押圧して、ばね１４２８を圧縮してもよい。ボタンが解放されると、ばね１４２８は、第１スリーブ１４２４にバイアスをかけて、内側ハウジング１４２０をそれの元の位置まで戻してもよい。
【００３７】
システム１４００は、内側ハウジング１４２０内に連続して積み重ねられた複数の消毒剤ワイプ１１０を含む。複数のクラッチアーム１４３０が、外側ハウジング１４１０の出口端部において内側ハウジング１４２０上に位置する。クラッチアーム１４３０は、消毒剤ワイプ１１０を前進させて、一番先の消毒剤ワイプ１１０を使用のための適所に保持するように機能する。
【００３８】
図１４Ｂは、最初の閉じたクラッチ操作位置にあるクラッチアーム１４３０を示す。クラッチアーム１４３０は、一番先の消毒剤ワイプ１１０を当接状態で押圧させられて、それを使用のための適所に保持する。巻状消毒剤ワイプ１３０の露出部分１３４が、外側ハウジングから突出して、ユーザが露出部分１３４によって領域を拭くことを可能にする。消毒剤ワイプ１１０が使用済みになったとき、それは、１回から数回の間でボタン１４２２を押圧することによって廃棄されてもよい。ボタン１４２２のそれぞれの押圧中、内側ハウジング１４２０は、下方に向かって前進して、複数の消毒剤ワイプ１１０を外側ハウジング１４１０に対して前方に押す。同時に、内側ハウジング１４２０に取り付けられているクラッチアーム１４３０が、同じ方向に押され、図１４Ａに示すように、外側ハウジング１４１０の空間を満たすように拡張してそれらを開かせることを可能にされる。一番先の消毒剤ワイプ１１０が前進させられる。ボタン１４２２が解放されると、クラッチアーム１４３０がそれらの元の位置に戻って、前進させられた消毒剤ワイプ１１０上に再び閉じる。十分なボタン押圧の後に、一番先の消毒剤ワイプ１１０が、システム１４００から除去されて廃棄されてもよい。次の消毒剤ワイプ１１０が、使用のための位置に前進させられる。
【００３９】
図１５Ａ〜図１５Ｂは、図９Ａ〜図１０Ｂの消毒剤ワイプ装置９１０（「消毒剤ワイプ９１０」）を用いるスライド式パドル１５４４前進機構を有するシステム１５００を示す。図１５Ａは、外側ハウジング９４０と、スライド式パドル１５４４及びアーム１５４６と、複数の消毒剤ワイプ９１０と、を有するシステム１５００を示す。一例では、外側ハウジング９４０は、システム１５００が再装填されることを可能にするために除去されてもよい最上部又はキャップ１５４２を含んでもよい。
【００４０】
システム１５００は、消毒剤ワイプ９１０のそれぞれの巻状消毒剤ワイプ９２０から包装容器９３０のシースを外すための構造を含んでもよい。構造は、外側ハウジング９４０の出口端部に位置する鋭利な刃１５４８であってもよい。一例では、刃１５４８は、外側ハウジング９４０の内部に位置するリングであってもよい。リングは、消毒剤ワイプ９１０がシステム１５００を通って前進させられるときに、当該消毒剤ワイプが通過できるほど十分に大きい開放空間を残してもよい。鋭利な刃１５４８は、消毒剤ワイプ９１０が外側ハウジング９４０を通して押されるとき、当該消毒剤ワイプのタブ９２４を捕えるようなサイズにされて設置されてもよい。図１５Ｂに示すように、このことは、タブを鋭利な刃１５４８のところで引き開かせて、包装容器９２０を接着縁に沿って半分同士９２８に分離させてもよい。巻状消毒剤ワイプ９３０の露出部分９３４が、殺菌での使用に対して準備完了であってもよい。このことは、消毒剤ワイプ９１０が使用のための位置まで前進させられたときに、システム１５００が消毒剤ワイプを自動開放させることを可能にしてもよい。一例では、消毒剤ワイプ９１０は、包装容器９２０が巻状消毒剤ワイプ９３０から分離することにはならない基部を含む。このことは、ユーザが、ワイプに触れることなく、使用済み消毒剤ワイプ９１０を処分することを可能にしてもよい。その代わりに、ユーザは、スライド式パドル１５４４を前進させて、使用済み消毒剤ワイプ９１０を処分してもよい。
【００４１】
図１６Ａ〜図１６Ｃは、本開示の第４の例示的実施形態に従う、使い捨て消毒剤ワイプを分注するための装置及びシステムの説明図である。
【００４２】
図１６Ａは、上記で開示したような、包装容器１６２０と、巻状円筒形消毒剤ワイプ１６３０と、を含む使い捨て消毒剤ワイプ装置１６１０を示す。それに加えて、装置１６１０は、包装容器１６２０の２つの反対側側面に沿った複数の穿孔１６１２を含む。穿孔１６１２は、実質的に包装容器１６２０の全体に沿って含まれてもよく、そして、使い捨て消毒剤ワイプを分注するためのシステム１６００で使用されるときに、装置１６１０を誘導するために用いられてもよい。
【００４３】
図１６Ｂ〜図１６Ｃは、システム１６００を示す。システム１６００は、外側ハウジング１６４０と、外側ハウジング１６４０内部の複数の消毒剤ワイプ１６１０と、を含む。システム１６００は、また、歯車ベルト１６４２を含み、当該歯車ベルトは、外側ハウジング１６４０内部に位置し、実質的に外側ハウジング１６４０の全長上を走行する。歯車ベルト１６４２は、歯車ベルト１６４２に沿って全ての歯１６４４を有し、当該歯は、歯車ベルト１６４２が前進させられるときに前進する。歯車ベルト１６４２は、内蔵ベアリング１６４６又は外側ハウジング１６４０内部の別の構造の周りに巻かれてもよい。消毒剤ワイプ１６１０は、穿孔１６１２によって歯１６４４と整列させられてもよい。消毒剤ワイプ１６１０は、外側ハウジング１６４０中に給送されてもよく、そこにおいて、歯１６４４は、穿孔１６１２と係合することにより、消毒剤ワイプ１６１０を整列させ、そして前進させてもよい。図１６Ｃは、外側ハウジング１６４０内部で、歯１６４４と整列し、連続した位置にある消毒剤ワイプ１６１０を示す。ホイール１６４８が、外側ハウジング１６４０の外部に位置してもよく、そして、図１６Ｂのベアリングと機械的に接続していてもよい。ユーザは、ホイール１６４８を回転させて歯車ベルト１６４２を係合してもよく、当該歯車ベルトは、消毒剤ワイプ１６１０を外側ハウジング１６４０の出口端部に向かって順に前進させてもよい。一旦歯車ベルト１６４２が十分に前進させられて消毒剤ワイプ１６１０のうちの１つを露出させると、包装容器１６３０は、上記のように自動的に又は手動で除去されてもよく、そして、露出部分１６３４は、領域を殺菌するために使用されてもよい。
【００４４】
図１７は、消毒剤ワイプによって領域を殺菌する方法１７００を示すフローチャートである。注記すべきは、本開示の技術分野における当業者によって理解されるであろうように、フローチャート内のいずれかのプロセス説明又はブロックは、プロセス内の特定の論理機能を実装するための１つ又は複数の命令を含むモジュール、セグメント又はステップを表現するものとして理解されなければならないことと、機能が、関係する機能に基づいて、実質的に並行的である又は逆の順序であることを含む、示された又は論じられた順序から外れた順序で実行されてもよい代替の実装が、本開示の範囲内に含まれることと、である。
【００４５】
ステップ１７１０は、防菌包装容器内の消毒剤材料を注入された消毒剤ワイプを把持することであって、消毒剤ワイプは巻状円筒形状を有する、ことを含む。
【００４６】
ステップ１７２０は、包装容器の一部分を除去して、消毒剤ワイプの巻状円筒形状の１つの端部を露出させることを含む。包装容器は、巻状消毒剤ワイプから、引き裂かれても、引き離されても、剥がされても又は別の態様で分離されてもよい。一例では、包装容器の除去される部分は、包装容器の半分未満であってもよい。このことは、ユーザが、消毒剤ワイプを使用しながら、強い把持力を適用するのを可能にしてもよい。
【００４７】
ステップ１７３０は、消毒剤ワイプの露出されていない端部を包装容器越しに把持することを含む。露出されていない端部は、依然として包装容器の一部分によって覆われていてもよく、それで、消毒剤材料が露出されていない端部の外部と接触していないことがある。ユーザは、消毒剤材料又は巻状ワイプのいずれにも直接接触することなく、露出されていない端部を把持してもよい。この点で、部分的に露出された巻状ワイプ及び包装容器内の巻状ワイプの露出されていない部分が、頑強な摩耗防止拭き装置をユーザに提供する。ワイプの巻状形状は、使用中の軸方向偏向の増加を提供し、それは、消毒剤ワイプが殺菌中、通常の力で用いられてもよいことを意味する。そして、包装容器の保護カバーは、長期間にわたってかかるワイプを繰返し使用しなければならないユーザに隔離を提供する。
【００４８】
ステップ１７４０は、領域が殺菌されるまで消毒剤ワイプの露出された端部によって領域を拭くことを含む。
【００４９】
図１８は、使い捨て消毒剤ワイプ装置を作成する方法１８００を示すフローチャートである。
【００５０】
ステップ１８１０は、消毒剤ワイプの平坦シートを少なくとも１回だけ折り畳むことを含む。一例では、平坦シートは、複数回だけ折り畳まれて、望ましいサイズ、形状又は層厚を達成してもよい。このことは、平坦シートの最初のサイズ及び完成された消毒剤ワイプ装置の望ましいサイズに依存してもよい。
【００５１】
ステップ１８２０は、折り畳まれたシートを円筒に巻くことを含む。一例では、円筒は、円筒の端部同士の間の長さが円筒の直径以上であるような細長形状を有する。細長形状は、消毒剤ワイプが後に使用されるときに、消毒剤材料に触れることなく把持するのに役に立ってもよい。
【００５２】
ステップ１８３０は、消毒剤材料を巻状シートに注入することを含む。このことは、消毒剤材料をシートに注入するために一般に用いられる方法によって行なわれてもよい。
【００５３】
ステップ１８４０は、内部小室を有する防菌包装容器内部に巻状シートを置くことを含み、包装容器の一部分は、巻状シートの露出されていない端部が包装容器を介してユーザによって把持可能でありながら、巻状シートの１つの端部を露出させるように消毒剤ワイプから除去可能である。巻状シートは、包装容器の１つの半分に置かれてもよい。接着剤が、包装容器のその半分の縁に沿って適用されてもよく、第２の半分が第１の半分に貼付されてもよい。半分同士は、一緒に結束されて、後の使用のために消毒剤ワイプを密封してもよい。
【００５４】
強調すべきは、本開示の上記の実施形態、特に、いずれかの「好ましい」実施形態は、単にあり得る実装例であって、単に本開示の原理の明確な理解のために述べられているに過ぎないことである。多くの変形及び修正が、本開示の趣旨及び原理から実質的に逸脱することなく、本開示の上記の実施形態に対してなされてもよい。全てのかかる修正及び変形は、本明細書において、本開示の範囲及び本開示に含まれ、以下のクレームによって保護されることが意図されている。
【符号の説明】
【００５５】
１０２    ユーザの指
１０４    患者
１０６    注射領域
１１０    使い捨て消毒剤ワイプ装置
１２０    防菌包装容器
１２０Ａ  防菌包装容器の部分
１２２    内部小室
１２４    引裂き構造
１３０    消毒剤ワイプ
１３２    巻状円筒形状
１３４    露出される端部
１３６    露出されない端部
９１０    使い捨て消毒剤ワイプ装置
９２０    防菌包装容器
９２２    内部小室
９２４    タブ
９２６    接着縁
９２８    包装容器の半分
９３０    巻状円筒形消毒剤ワイプ
９３４    露出される端部
９３６    露出されていない端部
９４０    外側ハウジング
９４１    溝
９４４    前進機構（スライド式パドル）
９５０    保持器（可撓性停止構造）
９５２    キャップ
９７２    通路
９７４    溝
９８２    ベルト
９８６    内蔵ベアリング
１１００  使い捨て消毒剤ワイプを分注するためのシステム
１４１０  外側ハウジング
１４２０  内側ハウジング
１４２２  ボタン
１４２４  第１スリーブ
１４２６  第２スリーブ
１４２８  ばね
１４３０  クラッチアーム
【図１】
2020517407.tif 000003
【図２】
2020517407.tif 000004
【図３】
2020517407.tif 000005
【図４】
2020517407.tif 000006
【図５】
2020517407.tif 000007
【図６】
2020517407.tif 000008
【図７】
2020517407.tif 000009
【図８】
2020517407.tif 000010
【図９】
2020517407.tif 000011
【図１０】
2020517407.tif 000012
【図１１】
2020517407.tif 000013
【図１２】
2020517407.tif 000014
【図１３】
2020517407.tif 000015
【図１４】
2020517407.tif 000016
【図１５】
2020517407.tif 000017
【図１６】
2020517407.tif 000018
【図１７】
2020517407.tif 000019
【図１８】
2020517407.tif 000020
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
使い捨て消毒剤ワイプ装置であって、
内部小室を有する防菌包装容器と、
消毒剤材料を注入された消毒剤ワイプであって、前記消毒剤ワイプは、前記内部小室内に設置され、前記消毒剤ワイプは、巻状円筒形状を有する、消毒剤ワイプと、を備える、装置。
【請求項２】
前記包装容器の一部分は、前記消毒剤ワイプの巻状円筒形状の１つの端部を露出させるために前記消毒剤ワイプから除去可能であり、同時に、前記巻状円筒形状の消毒剤ワイプの露出されていない端部は、前記包装容器を介してユーザによって把持される、請求項１に記載の装置。
【請求項３】
前記包装容器は、水平方向引裂き構造、及び前記包装容器に沿って軸方向に設置された鉛直方向引裂き構造のうちの少なくとも１つを更に備える、請求項１または２に記載の装置。
【請求項４】
前記鉛直方向引裂き構造は、前記包装容器を細長軸線に沿って開放するために、前記ユーザによって引張り可能な少なくとも１つのタブであり、前記包装容器の１つの半分は、接着縁に沿って別の半分から分離する、請求項３に記載の装置。
【請求項５】
前記包装容器は、前記包装容器の２つの反対側側面に沿った複数の穿孔を更に備え、前記装置は、前記複数の穿孔によってベルトに沿って誘導可能である、請求項１乃至４のいずれかに記載の装置。
【請求項６】
使い捨て消毒剤ワイプを分注するためのシステムであって、
ディスペンサであって、
外側ハウジング、
前記外側ハウジングの内部の出口端部に設置された保持器、及び、
前記外側ハウジング上に設置された前進機構を備えるディスペンサと、
を備え、
前記外側ハウジング内部に連続して設置された複数の使い捨て消毒剤ワイプであって、それぞれのワイプは、
内部小室を有する防菌包装容器、及び、
消毒剤材料を注入された消毒剤ワイプであって、前記消毒剤ワイプは、前記内部小室内に設置され、前記消毒剤ワイプは、巻状円筒形状を有する、消毒剤ワイプを備える、複数の使い捨て消毒剤ワイプと、を備え、
前記前進機構は、前記複数の消毒剤ワイプを前記外側ハウジングの出口端部に向かって前進させるために、前記外側ハウジングの外部からユーザによって制御可能である、システム。
【請求項７】
前記前進機構は、実質的に前記外側ハウジングの全長に沿って位置する溝内を前記外側ハウジングの入口端部と前記外側ハウジングの出口端部との間で移動可能なスライド式パドルであり、前記パドルは、前記外側ハウジングの出口端部に向かってスライドすることによって前記複数の使い捨て消毒剤ワイプを前進させる、請求項６に記載のシステム。
【請求項８】
前記外側ハウジングの溝は、包装容器の実質的に１つの全長だけそれぞれ間隔が空いている複数のノッチを更に備え、前記スライド式パドルは、約１つの包装容器の刻み幅でノッチからノッチまで前進可能である、請求項７に記載のシステム。
【請求項９】
前記外側ハウジングの出口端部において前記外側ハウジングの内部に位置する包装除去具を更に備え、前記包装除去具は、前記包装容器を前記複数の巻状円筒形消毒剤ワイプから接触可能に分離しながら、前記巻状円筒形消毒剤ワイプが前記包装除去具を越えて前進することを可能にするようなサイズである、請求項７または８に記載のシステム。
【請求項１０】
前記外側ハウジングは、
前記外側ハウジングの出口端部の内部に設置されたブレードと、
前記ブレードに当接して前記外側ハウジングの外部に設置されたボタンであって、前記ボタンを押圧すると、前記ブレードは、前記包装容器の一部分を前記消毒剤ワイプから係合解除するように係合可能である、ボタンと、を更に備える、請求項６乃至９のいずれかに記載のシステム。
【請求項１１】
前記外側ハウジング内部に位置し、実質的に前記外側ハウジングの全長に沿って走行する２つの通路を更に備え、前記２つの通路は、それぞれ溝を備え、前記複数の消毒剤ワイプの前記包装容器は、前記溝に沿って整列可能であり、移動可能である、請求項６乃至１０のいずれかに記載のシステム。
【請求項１２】
前記外側ハウジング内部に位置する内側ハウジングと、
前記外側ハウジングの出口端部の反対側の前記内側ハウジング上に位置するバイアス式ボタンであって、前記ボタンは、ユーザが前記ボタンを押圧することを可能にするために前記外側ハウジングから突出している、バイアス式ボタンと、
前記外側ハウジングの出口端部において前記内側ハウジング上に位置する複数のクラッチアームであって、前記複数のクラッチアームは、最初に閉じたクラッチ操作位置にあり、前記ボタンは、前記前進機構であり、前記ボタンを押圧すると、前記複数のクラッチアームが開いて、前記外側ハウジングの出口端部に向かって延長し、前記ボタンを解放すると、前記ボタン及び前記複数のクラッチアームは、それらの初期位置まで戻ることにより、前記複数の消毒剤ワイプを前進させる、複数のクラッチアームと、を更に備える、請求項６乃至１１のいずれかに記載のシステム。
【請求項１３】
消毒剤ワイプによって領域を殺菌する方法であって、
防菌包装容器内に消毒剤材料を注入された消毒剤ワイプを把持するステップであって、前記消毒剤ワイプは、巻状円筒形状を有する、ステップと、
前記消毒剤ワイプの前記巻状円筒形状の１つの端部を露出させるために前記包装容器の一部分を除去するステップと、
前記消毒剤ワイプの露出されていない端部を前記包装容器越しに把持するステップと、
前記領域が殺菌されるまで、前記消毒剤ワイプの露出された端部によって前記領域を拭くステップと、を含む方法。
【請求項１４】
前記包装容器の一部分を除去する前記ステップは、
前記包装容器上の２つのタブを把持するステップと、
前記包装容器を前記包装容器の細長軸線下方に接着縁に沿って分離するステップと、を含む、請求項１３に記載の方法。
【請求項１５】
前記巻状円筒形消毒剤ワイプの軸方向偏向に対する抵抗は、平坦消毒剤ワイプの軸方向偏向に対する抵抗よりも大きい、請求項１３または１４に記載の方法。
【手続補正２】
【補正対象書類名】図面
【補正対象項目名】全図
【補正方法】変更
【補正の内容】
【図１】
2020517407.tif 000021
【図２】
2020517407.tif 000022
【図３】
2020517407.tif 000023
【図４】
2020517407.tif 000024
【図５】
2020517407.tif 000025
【図６】
2020517407.tif 000026
【図７】
2020517407.tif 000027
【図８】
2020517407.tif 000028
【図９】
2020517407.tif 000029
【図１０】
2020517407.tif 000030
【図１１】
2020517407.tif 000031
【図１２】
2020517407.tif 000032
【図１３】
2020517407.tif 000033
【図１４】
2020517407.tif 000034
【図１５】
2020517407.tif 000035
【図１６】
2020517407.tif 000036
【図１７】
2020517407.tif 000037
【図１８】
2020517407.tif 000038
【国際調査報告】
2020517407.tif 000039